(57)【要約】【課題】  大荷重作用時にも配管の健全性を維持できるようにする。【解決手段】  平板状部材１０と連結部１１と突部１２を具備した連結金物８における突部１２に、配管接合金物７をボルト９、ナット９ａにより取り付けて配管支持金物６を形成する。ボルト９の断面係数は、配管１の管壁の肉厚方向の断面係数よりも小さくなるように設定する。配管１の所要個所に配管接合金物７を溶接接合し、連結金物８の連結部１１に、固定構造物４の所要個所に一端部を取り付けた耐震用支持部材３の他端部を連結して、配管１を配管支持金物６と耐震用支持部材３を介し固定構造物４に支持させた状態にて、大地震等により配管１に大きな荷重が作用するときには、配管接合金物７と連結金物８とを連結しているボルト９が剪断されるようにすることで、配管１における配管接合金物７の溶接接合部に大きな負担が作用する虞を未然に防止させる。【選択図】図１
2009191967.tif 000002
【特許請求の範囲】
【請求項１】
支持すべき配管と、該配管を支持するため一端部を固定構造部に支持させてなる耐震用支持部材の他端部との間に介在させて上記配管を支持するようにしてある配管支持金物において、上記配管の管壁に固定して取り付ける配管接合金物と、上記耐震用支持部材の他端部に連結するための連結金物とを、ボルトを介し連結してなる構成を有することを特徴とする配管支持金物。
【請求項２】
ボルトの断面係数が、配管の管壁の肉厚方向の断面係数よりも小さくなるように設定した請求項１記載の配管支持金物。
【発明の詳細な説明】
【技術分野】
【０００１】
本発明は、躯体側に一端部を支持させてなるスナバー等の耐震用支持部材の他端側に配管の所要個所を取り付けるために用いる配管支持金物に関するものである。
【背景技術】
【０００２】
プラントの配管は、躯体等の固定構造物より各種の支持装置を介して支持されている。
【０００３】
この種の支持装置のうち、たとえば、耐震性を考慮した支持装置としては、図３に示す如く、配管１の所要個所にラグ２を溶接により取り付け、更に、固定構造物４の所要個所に一端部を取り付けてなるスナバー等の耐震用支持部材３の他端部を、上記ラグ２に連結して、上記配管１の荷重を、ラグ２と耐震用支持部材３を介して上記固定構造物４に支持させるようにしたものが従来広く用いられている（たとえば、特許文献１参照）。
【０００４】
【特許文献１】特許第２７４２０３８号
【発明の開示】
【発明が解決しようとする課題】
【０００５】
ところが、上記図３に示した如き支持装置にて、配管１を支持した構成において、大地震時のように大きな荷重が配管１に作用した際に、配管１の過大な変位を抑えるべく耐震用支持構造物３によって配管１が固定されるようになると、その地震荷重がラグ２と配管１に作用するようになる。
【０００６】
この際、配管１とラグ２との溶接による接合部５に負担が掛かる場合であっても、破損が生じるとすれば、ラグ２が破損するようにして、配管１の健全性が維持されるようにすることが求められる。しかし、従来は、一体構造のラグ２を、溶接によって配管１に接合するようにしていたため、溶接品質のばらつき等に起因して、万一、ラグ２と配管１との溶接接合部５に、該溶接接合部５における強度が、配管１の管壁の肉厚方向の剪断強さを上回る部分が生じていると、配管１とラグ２との溶接接合部５に大きな負担が作用するときに、ラグ２ではなく、ラグ２が接合してある部分の配管１の管壁（図３におけるＢ部）に破損が生じる可能性が懸念されるというのが実状である。
【０００７】
そこで、本発明は、配管に大きな荷重が作用する場合に、該配管の管壁に過大な負担が作用する虞を未然に防止できて、配管の健全性を維持することができる配管支持金物を提供しようとするものである。
【課題を解決するための手段】
【０００８】
本発明は、上記課題を解決するために、請求項１に対応して、支持すべき配管と、該配管を支持するため一端部を固定構造部に支持させてなる耐震用支持部材の他端部との間に介在させて上記配管を支持するようにしてある配管支持金物において、上記配管の管壁に固定して取り付ける配管接合金物と、上記耐震用支持部材の他端部に連結するための連結金物とを、ボルトを介し連結してなる構成とする。
【０００９】
又、上記構成におけるボルトの断面係数が、配管の管壁の肉厚方向の断面係数よりも小さくなるように設定した構成とする。
【発明の効果】
【００１０】
本発明の配管支持金物によれば、配管と、長手方向の一端部を固定構造部に支持させてなる耐震用支持部材の他端部との間に介在させて上記配管を支持するための配管支持金物において、配管に溶接により取り付ける配管接合金物と、耐震用支持部材に連結するための連結金物とを、上記耐震用支持部材の長手方向に直角方向に配したボルトを介し連結してなる構成、更に、ボルトの断面係数が、配管の管壁の肉厚方向の断面係数よりも小さくなるように設定した構成としてあるので、上記配管に配管接合金物を溶接により接合すると共に、連結金物を、固定構造部に長手方向一端部が支持された耐震用支持部材の他端部に連結することで、上記配管の荷重を、配管支持金物と耐震用支持部材とを介して上記固定構造物に支持させることができる。この状態にて、大地震時に大きな荷重が配管に作用する際、配管の過大な変位を抑えるべく上記耐震用支持部材によって固定される配管と、配管支持金物に大きな地震荷重が作用するときには、上記配管支持金物の各配管接合金物と配管との溶接接合部に配管の管壁の肉厚方向の剪断強さを上回る強度の部分が存在している場合であっても、上記配管における上記配管支持金物の各配管接合金物の溶接接合部分の管壁が破損する以前に、上記配管支持金物における連結部材と各配管接合金物とを連結しているボルトを剪断させることができる。したがって、該配管における配管支持金物との溶接接合部に過大な負担が作用する虞を未然に防止できて、配管の健全性を維持することができる、という優れた効果を発揮する。
【発明を実施するための最良の形態】
【００１１】
以下、本発明を実施するための最良の形態を図面を参照して説明する。
【００１２】
図１（イ）（ロ）は本発明の配管支持金物の実施の一形態を示すもので、以下のようにしてある。
【００１３】
すなわち、上記配管支持金物６は、配管１に溶接により取り付ける（接合する）ための配管接合金物７と、固定構造物４の所要個所に一端部を取り付けてなるスナバー等の耐震用支持部材３の他端部に連結するための連結金物８とを、上記耐震用支持部材３の長手方向に直角な方向に延びるボルト９を介して連結して一体とするようにした構成とする。
【００１４】
詳述すると、上記連結金物８は、矩形の平板状部材１０の一側面に、上記耐震用支持部材３の他端部との連結部１１を設けると共に、他側面の４角部に、平板状の突部１２をそれぞれ設けた構成としてある。
【００１５】
更に、上記連結金物８の各突部１２の突出端部に、平板状の配管接合金物７の一端部を個別に重ねるよう配置した状態にて、該各突部１２の突出端部と、対応する配管接合金物７の一端部とを、双方に設けた図示しないボルト孔に挿通させたボルト９にナット９ａを締め込むことにより連結して、配管支持金物６を形成するようにしてある。これにより、上記連結金物８と配管接続金物７との連結部分の強度を、上記ボルト９の剪断強さで設定できるようにしてある。
【００１６】
ここで、配管１の側面における上記配管支持金物６との溶接接合部分の管壁が破損する条件を考えると、配管１の管壁の肉厚方向の剪断強さと、曲げ応力強さとの和によって破損する荷重が決定される。この点に鑑みて、本発明では、上記配管支持金物６における配管接合金物７と連結金物８との連結に用いる上記ボルト９の断面係数を、配管１の管壁の肉厚方向の断面係数よりも小となるように設定してある。
【００１７】
その他、図１（イ）（ロ）において図３に示したものと同一のものには同一符号が付してある。
【００１８】
以上の構成としてある配管支持金物６を使用する場合は、各配管接合金物７の他端部を、配管１の所要個所に溶接により接合した状態にて、連結金物８の連結部１１を、固定構造物４の所要個所に一端部を取り付けてなるスナバー等の耐震用支持部材３の他端部に連結する。これにより、上記配管１の荷重が、配管支持金物６と耐震用支持部材３を介して上記固定構造物４に支持されるようになる。
【００１９】
この状態で、大地震時のように大きな荷重が配管１に作用する際、配管１の過大な変位を抑えるべく耐震用支持構造物３によって配管１が固定されるようになると、その地震荷重が配管支持金物６と配管１に作用するようになる。
【００２０】
この際、上記配管支持金物６の各配管接合金物７と配管１との溶接接合部５に、該溶接接合部５における強度が、配管１の管壁の肉厚方向の剪断強さを上回る部分が存在しているとしても、上記配管支持金物６における各配管接合金物７と連結金物８の連結に用いているボルト９の断面係数が、配管１の管壁の肉厚方向の断面係数よりも小となるように設定してあるため、上記配管支持金物６と配管１との間に大きな荷重が作用するときには、上記配管１の側面における上記配管支持金物６の各配管接合金物７の溶接接合部分の管壁が破損する以前に、上記配管支持金物６における連結部材８と各配管支持金物７とを連結しているボルト９の剪断が生じるようになる。したがって、上記配管１の側面における上記配管支持金物６の各配管接合金物７の溶接接合部分の管壁の損傷が未然に防止されるようになる。
【００２１】
このように、本発明の配管支持金物によれば、従来のラグの代わりに使用することで、平常時は配管１の支持を行うことができ、又、大地震時等に、配管支持金物６と配管１に大きな荷重が作用する場合であっても、該配管１における配管支持金物との溶接接合部５に過大な負担が作用する虞を未然に防止できて、配管１の健全性を維持することができる。
【００２２】
なお、本発明は上記各実施の形態のみに限定されるものではなく、配管支持金物６における配管接合金物７は、たとえば、図２に示す如く、配管１の周方向の１個所に接合する等、配管１の太さや、配管１の荷重等に応じて該配管１の周方向に取り付ける数を減じたり、適宜増加させてもよい。又、配管１の長手方向に沿う方向の配管支持金物６の数を適宜増減してもよい。又、配管接合金物７の形状は、配管１における接合個所の外形等に応じて適宜変更してもよい。
【００２３】
配管支持金物６における連結部１１の構造や形状は、耐震用支持部材３の形式に応じて適宜変更してもよい。
【００２４】
その他本発明の要旨を逸脱しない範囲内で種々変更を加え得ることは勿論である。
【図面の簡単な説明】
【００２５】
【図１】本発明の配管支持金物の実施の一形態を示すもので、（イ）は配管を支持した状態を示す概略側面図、（ロ）は（イ）のＡ−Ａ方向矢視図である。
【図２】本発明の実施の他の形態を示すもので、配管を支持した状態を示す概略側面図である。
【図３】従来の配管支持装置を示す概要図である。
【符号の説明】
【００２６】
１  配管
３  耐震用支持部材
４  固定構造部
６  配管支持金物
７  配管接合金物
８  連結金物
９  ボルト
【図１】
2009191967.tif 000003
【図２】
2009191967.tif 000004
【図３】
2009191967.tif 000005